(57)【要約】【課題】  フランス落とし受けが既存下枠や玄関ポーチ面に干渉することのない改修戸を提供する。【解決手段】  既存枠の内周側に設置するものであって、改修下枠と、フランス落とし受けを備え、フランス落とし受けは、改修下枠の見込面から上側と下側に突出しており、フランス落とし受けの上端が、戸の下端よりも下側に位置しており、フランス落とし受けの下端が、その下側に位置する、既存下枠の上面又は玄関ポーチ面の上側に位置する。【選択図】      図１
2018112017.tif 000002
【特許請求の範囲】
【請求項１】
既存枠の内周側に設置するものであって、改修下枠と、フランス落とし受けを備え、フランス落とし受けは、改修下枠の見込面から上側と下側に突出しており、フランス落とし受けの上端が、戸の下端よりも下側に位置しており、フランス落とし受けの下端が、その下側に位置する、既存下枠の上面又は玄関ポーチ面の上側に位置することを特徴とする改修戸。
【発明の詳細な説明】
【技術分野】
【０００１】
本発明は、既存枠の内周側に設置するリフォーム用の改修戸に関する。
【背景技術】
【０００２】
リフォーム用の玄関ドアにおいては、既存枠の内周側に改修枠を設置し、改修枠に新たなドアを取り付ける。特に親子ドアの場合には、非特許文献１及び図７に示すように、子ドア４ｂの下端部にフランス落とし３を備えており、改修下枠１の対応する位置にフランス落とし受け２００が設けられる。
【先行技術文献】
【非特許文献】
【０００３】
【非特許文献１】「リフォーム玄関ドアラフォースＲ２施工要領書（ＨＷ１３９５Ｂ）」、三協立山アルミ株式会社、２０１０年１１月、ｐ．１９
【発明の概要】
【発明が解決しようとする課題】
【０００４】
しかしながら、従来のフランス落とし受け２００は、平板状の基板部２０１と、基板部２０１から下側に大きく突出する凹部２０２のみを有する形状であり、改修下枠１の下側に位置する、既存下枠５や玄関ポーチ面６に干渉する場合があった。この場合、既存下枠５や玄関ポーチ面６に逃げ加工を施す必要があり（非特許文献１は既存下枠に逃げ加工を施した場合、図７は玄関ポーチ面６に逃げ加工Ｐを施した場合を示す）、施工に手間がかかる点が問題であった。
【０００５】
本発明は、上記事情を鑑みたものであり、フランス落とし受けが既存下枠や玄関ポーチ面に干渉することのない改修戸を提供することを目的とする。
【課題を解決するための手段】
【０００６】
本発明は、既存枠の内周側に設置するものであって、改修下枠と、フランス落とし受けを備え、フランス落とし受けは、改修下枠の見込面から上側と下側に突出しており、フランス落とし受けの上端が、戸の下端よりも下側に位置しており、フランス落とし受けの下端が、その下側に位置する、既存下枠の上面又は玄関ポーチ面の上側に位置することを特徴とする。
【発明の効果】
【０００７】
本発明によれば、フランス落とし受けが改修下枠の見込面から上側と下側に突出する形状であり、従来と同等の係り寸法を確保したものでありながら、上側の戸及び下側の既存下枠又は玄関ポーチ面と干渉することがなく、逃げ加工が不要であり、施工が容易である。
【図面の簡単な説明】
【０００８】
【図１】改修戸の第一実施形態（フランス落とし受けの下側に玄関ポーチ面が位置する場合）の下端部の縦断面図である。
【図２】第一実施形態のフランス落とし受けの三面図であり、（ａ）が平面図、（ｂ）が正面図、（ｃ）が側面図である。
【図３】改修戸の縦断面図である。
【図４】改修戸の横断面図である。
【図５】改修戸の第一実施形態（フランス落とし受けの下側に既存下枠が位置する場合）の下端部の縦断面図である。
【図６】改修戸の第二実施形態の下端部の縦断面図である。
【図７】従来の改修戸の下端部の縦断面図である。
【発明を実施するための形態】
【０００９】
以下、本発明の実施の形態を図面に基づいて説明する。この改修戸の第一実施形態は、リフォーム用の玄関ドアとして用いられるものであり、既存のドアを取り外して残った既存枠の内周側に取り付けられるものである。なお、以下において、左右とは、改修戸を室内側から見た場合の左右（図４における左右）を示すものとする。
【００１０】
図３及び図４に示すように、既存枠５０は、既存下枠５と、既存上枠５０１と、左右の既存縦枠５０２を四周組んだものであり、躯体開口部の内周側に取り付けてある。特に、既存下枠５は、図１に示すように、室外側に向けて下方に傾斜する傾斜面５１と、傾斜面５１の室外側端部から下側に向けて延びる室外側垂直面５２と、傾斜面５１の室内側端部から上側に向けて延びる室内側垂直面５３を備え、室内側垂直面５３の上端の室外側面に、タイト材ホルダ５４を形成してある。このタイト材ホルダ５４は、既存のドアに当接するタイト材を取り付けるためのものであるが、改修戸を取り付けるに際して、タイト材は取り外してある。また、既存下枠５の室外側垂直面５２の前側が、玄関ポーチ面６となっている。
【００１１】
そして、この既存枠５０の内周側に、本発明の改修戸を取り付けてある。改修戸は、改修枠１０と、戸（親ドア４ａと子ドア４ｂ）を備えている。
【００１２】
改修枠１０は、改修下枠１と、改修上枠１０１と、左右の改修縦枠１０２を四周組んだものであり、改修下枠１を、既存下枠５を貫通して躯体にネジ止めしてあり、改修上枠１０１を、既存上枠５０１を貫通して躯体にネジ止めしてあり、左右の改修縦枠１０２を、既存縦枠５０２を貫通して躯体にネジ止めしてある。特に、改修下枠１は、水平向きに延びる見込面１１と、見込面１１の室外側端部の下面に設けた断面逆Ｔ字形の支持部１２と、見込面１１の室内側端部の上側に設けた断面Ｈ字形の室内側段部１３を備え、室内側段部１３の室外側面に、タイト材ホルダ１４を形成してある。このタイト材ホルダ１４には、親ドア４ａ及び子ドア４ｂが当接するタイト材１５を取り付けてある。また、室内側段部１３の上面には、くつずり１６を取り付けてある。このように形成した改修下枠１は、室内側段部１３を既存下枠５の傾斜面５１に載置し、室内側段部１３の室内側面を既存下枠５のタイト材ホルダ５４に当接させてあり、見込面１１が既存下枠５と玄関ポーチ面６に跨っていて、支持部１２と玄関ポーチ面６の間にスペーサ１７を挟み込んで取り付けてある。
【００１３】
改修枠１０の内周側には、親ドア４ａと子ドア４ｂを開閉自在に取り付けてある。図４に示すように、左側に親ドア４ａ、右側に子ドア４ｂが位置しており、それぞれ外開きの向きで左右の改修縦枠１０２に丁番４１を介して取り付けてある。そして、図３に示すように、子ドア４ｂの内部の下部と上部には、それぞれフランス落とし３，３ａを設けてある。フランス落とし３，３ａは、上下動可能な丸棒状のものであって、子ドア４ｂの戸先側面に設けたつまみ（図示省略）を動かすことで、それぞれ子ドア４ｂの下面又は上面から突没させることができる。
【００１４】
そして、改修枠１０の、上下のフランス落とし３，３ａに対向する位置には、フランス落とし受け２，２ａを取り付けてある。このうち、下側のフランス落とし受け２は、図１及び図２に示すように、左右に長い長方形平板状の基板部２１と、基板部２１中央に形成した、基板部２１から下側に突出する凹部２２と、凹部２２の室外側縁部及び室内側縁部に形成した、基板部２１から上側に突出する凸部２３と、凹部２２の左右に形成したネジ孔２４を備える。凹部２２は、上面視して左右に長い長円形状であって、平板を下側に押し出して垂直な内周壁面及び底面を有する穴状に形成したものである。また、凸部２３は、凹部２２側の面が垂直であって、凹部２２の内周壁面と連続しており、凹部２２の反対側の面（外周側面）が外周側に向けて下方に傾斜している。なお、凸部２３の高さは、凹部２２の深さの１／２程度であり、凹部２２と凸部２３を合わせたフランス落とし受け２全体の高さは、図７に示す従来のフランス落とし受け２００の高さと同じである。このように形成した下側のフランス落とし受け２を、改修下枠１の、フランス落とし３に対向する位置に取り付けてある。改修下枠１の見込面１１には、取付位置に長方形の孔を形成してあり、この孔に上側からフランス落とし受け２の凹部２２を嵌め込み、孔の縁部にフランス落とし受け２の基板部２１を当接させ、ネジ孔２４にネジを通して改修下枠１にネジ止めしてある。これにより、フランス落とし受け２は、凸部２３が改修下枠１の見込面１１から上側に突出し、凹部２２が改修下枠１の見込面１１から下側に突出する。そして、フランス落とし受け２の凸部２３の上端は、子ドア４ｂの下端よりも下側に位置している。よって、フランス落とし受け２と子ドア４ｂの間には隙間が形成されるので、フランス落とし受け２が子ドア４ｂの開閉を妨げることはない。また、フランス落とし受け２の凹部２２の下端は、その下側に位置する、玄関ポーチ面６の上側に位置している。よって、フランス落とし受け２が玄関ポーチ面６に干渉しない。なお、図７に示す従来のフランス落とし受け２００と比較して、凹部２２が浅くなり底面の高さ位置が高くなった分、子ドア４ｂのフランス落とし３の位置も高くしてある。また、上側のフランス落とし受け２ａは、平板状の基板部２１ａと、基板部２１ａ中央に形成した、基板部２１ａから上側に突出する凹部２２ａを備えており、改修上枠１０１の見込面に形成した孔に凹部２２ａを嵌め込んで、基板部２１ａを改修上枠１０１にネジ止めしてある。
【００１５】
このように構成した本発明の第一実施形態によれば、フランス落とし受け２の凹部２２が改修下枠１の見込面１１から下側に突出するとともに、凸部２３が上側に突出する形状であり、凹部２２の内周壁面と凸部２３の凹部２２側の面が連続しているから、凹部２２の深さと凸部２３の高さを合わせた長さがフランス落とし３の係り寸法となる。よって、図７に示すような、凹部のみを有する従来のフランス落とし受け２００と比較して、凹部２２を浅くしても、凸部２３があるので、従来品と同等の係り寸法を確保できる。そして、凸部２３は子ドア４ｂと干渉しない高さとなっており、さらに、凹部２２を浅くすることで、改修下枠１の下側の玄関ポーチ面６との干渉を回避して、逃げ加工が不要となるので、施工が容易である。なお、凸部２３は、凹部２２の室外側縁部及び室内側縁部のみに形成してあるが、フランス落とし３を係止するには、子ドア４ｂの開閉方向、すなわち室外側と室内側に設けてあれば十分である。
【００１６】
なお、図５に示すように、既存下枠５の形状などによっては、フランス落とし受け２の下側に既存下枠５の傾斜面５１が位置する場合もある。その際には、フランス落とし受け２の凹部２２の下端が、既存下枠５の傾斜面５１の上面の上側に位置する形状となる。
【００１７】
また、図６に示すのは、本発明の改修戸の第二実施形態である。第一実施形態と異なるのは、下側のフランス落とし受け２の形状のみである。より詳しくは、第一実施形態のフランス落とし受け２と比較して、凹部２２が深く、凸部２３が低くなっており、凸部２３の高さは、凹部２２の深さの１／４程度であるが、凹部２２と凸部２３を合わせたフランス落とし受け２全体の高さは、第一実施形態及び図７に示す従来のフランス落とし受け２００と同じである。そして、第一実施形態と同様に、フランス落とし受け２の凸部２３の上端は、子ドア４ｂの下端よりも下側に位置しており、フランス落とし受け２の凹部２２の下端は、その下側に位置する、玄関ポーチ面６の上側に位置している。改修下枠１の見込面１１と、その下側の玄関ポーチ面６などとの間の間隔に余裕がある場合には、この第二実施形態のように、玄関ポーチ面６などと干渉しない範囲で凹部２２を深くし、その分表面に露出する凸部２３を低くすることで、第一実施形態及び従来品と同等の係り寸法を確保しつつ、意匠性を向上させることができるものであり、その他、第一実施形態と同様の作用効果を奏する。なお、改修下枠１の見込面１１と、その下側の玄関ポーチ面６又は既存下枠５との間の間隔や、その上側の子ドア４ｂの下端との間の間隔によっては、凹部２２と凸部２３を合わせたフランス落とし受け２全体の高さが、従来のフランス落とし受け２００よりも低くなり、フランス落とし３の係り寸法が従来よりも小さくなる場合もあり得るが、その場合であっても、フランス落とし３がフランス落とし受け２に嵌まり込んで子ドア４ｂの開閉を規制するという機能を発揮できるだけの係り寸法があればよい。
【００１８】
本発明は、上記の実施形態に限定されない。たとえば、フランス落とし受けの凸部は、凹部の周縁部の全周に設けてもよい。また、本発明は、玄関用の親子ドアに限らず、種々の戸に適用できる。
【符号の説明】
【００１９】
１  改修下枠
２  フランス落とし受け
１１  見込面
【図１】
2018112017.tif 000003
【図２】
2018112017.tif 000004
【図３】
2018112017.tif 000005
【図４】
2018112017.tif 000006
【図５】
2018112017.tif 000007
【図６】
2018112017.tif 000008
【図７】
2018112017.tif 000009